(57)【特許請求の範囲】
【請求項１】
全体が細長形状に構成されるとともに前面に吸気口（４）を形成した本体ケース（１）と、
本体ケース（１）に着脱自在に連結した後ケース（３）の内部に設けた内部ケース（５）と、
内部ケース（５）の前面側に左右の脚（１５）を介して架設され、高電圧が印加されるコロナ放電用電極（１６）と、
内部ケース（５）に着脱自在に係合連結される電極支持プレート（１７）と、
電極支持プレート（１７）の前面に取り付けられた集塵用の対向電極（１８）と、
電極支持プレート（１７）の前面に配備されて、対向電極（１８）に向けて吸引移動してきた帯電微粒子を捕捉する集塵シート（２１）とを含み、
本体ケース（１）の長手方向両端は、左右のスタンド（２）に対してケース長手方向に沿う軸心（Ｐ）周りに回動自在に支持されており、
集塵シート（２１）が、電極支持プレート（１７）の前面上下に左右方向にわたって設けたレール状のガイド（１７ｂ）に沿って差し込まれていて、電極支持プレート（１７）の左右方向一端側から自重落下して取り出せるようにしてあることを特徴とする空気清浄器。
【請求項２】
前記集塵シート（２１）が、殺菌または抗菌シートである請求項１記載の空気清浄器。
【発明の詳細な説明】
【０００１】
【発明の属する技術分野】
本発明は、病院、一般家庭、オフィスなどで使用する小型の空気清浄器に関する。
【０００２】
【従来の技術】
この種の空気清浄器として、空気中の塵埃や花粉などの微粒子をコロナ放電によって帯電させ、この帯電した微粒子を対向電極に集める電気集塵方式のものがよく知られており、その多くは棚や机上面への据え置き型、あるいは壁面への取り付け型となっている。
【０００３】
【発明が解決しようとする課題】
しかるに、机上面への据え置き型、あるいは壁面への取り付け型のいずれの空気清浄器においても、本体ケースに形成した吸入グリルから室内の空気を取り入れ、浄化処理した空気を別の吹き出しグリルから排出するよう構成されているが、吸入グリルの吸気方向は常に一定であるか、あるいはルーバーの角度調節により多少変更できる程度のものばかりであり、大きく吸気方向を変更することができるものは無かった。そのため、屋内空気の清浄効率を充分に高めることができなかった。
【０００４】
本発明の目的は、このような点に着目してなされたものであって、使用対象や使用目的に応じて空気取り入れ方向を大きく任意に変更できて屋内空気の浄化効率を高めることのできる空気清浄器を提供することにある。
【０００５】
【課題を解決するための手段】
本発明は、全体が細長形状に構成されるとともに前面に吸気口４を形成した本体ケース１の内部に、高電圧が印加されるコロナ放電用電極１６と集塵用の対向電極１８とを配備する。そのうえで本体ケース１の長手方向両端はスタンド２に対してケース長手方向に沿う軸心Ｐ周りに回動自在に支持する。
【０００６】
【作用】
例えばコロナ放電用電極１６にマイナス電位の高電圧（数千ボルト）を、対向電極１８にプラス電位の高電圧（数千ボルト）を印加する。すると、コロナ放電用電極１６からコロナ放電が行われてマイナスイオンが放出される。このマイナスイオンは、ケース前面の吸気口４から本体ケース１内に入った空気に含まれる塵埃、花粉、雑菌等の微細粒子をマイナスイオン化する。このマイナス電荷に帯電された粒子はクーロン作用で対向電極１８に引きつけられて集塵する。この対向電極１８の前面に集塵シート２１を配備しておけば、この集塵シート２１上に捕捉される。その際、本体ケース１を軸心Ｐ周りに回動させることで、空気取り入れ方向を大きく任意に変更できる。集塵シート２１を殺菌又は抗菌シートにしておくと、捕捉した有害病原菌等の雑菌類は不活性化されたり、死滅する。
【０００７】
【発明の実施の形態】
（第１実施例）
図１ないし図４は本発明に係る空気清浄器の第１実施例を示している。図１は空気清浄器の全体斜視図、図２はその横断側面図、図３はその横断平面図、図４はその分解斜視図を示す。この空気清浄器Ａは基本的には床置き式に構成されており、全体が細長形状に形成された本体ケース１の長手方向両端が左右のスタンド２でもって、ケース長手方向に沿う横向きの軸心Ｐ周りに回動自在に支持されている。
【０００８】
図２に示すように、本体ケース１は前面を凸曲面とする半円筒状に形成され、開放された背面には後ケース３が着脱自在に嵌合連結される。本体ケース１の凸曲前面には多数の縦長スリット状の吸気口４が左右方向に列設される。そして本体ケース１の左右の側壁は、前記スタンド２の上端部にケース長手方向に沿う横向きの軸心Ｐ周りに回動自在に支持されるとともに、その軸支部が適度に締め込み連結されて、本体ケース１を任意の回動姿勢で摩擦保持できるようになっている。なお、左右のスタンド２に亘ってステー２ａが架設されて、左右のスタンド２が勝手に回動しないように構成される。
【０００９】
後ケース３は浅い箱状に形成され、その内部に合成樹脂などの絶縁材料で形成された内部ケース５が嵌め込み連結される。後ケース３と内部ケース５との間には通気路６が形成され、この通気路６は、内部ケース５の左右両端に形成した通気孔７を介して本体ケース１の内部に連通され、吸気口４から本体ケース１内に導入した空気を通気孔７を通して通気路６に導くようになっている。また、後ケース３の左右中央には、電動モータ８で駆動されるファン９が取り付けられ、通気路６に導かれた空気を背部の排気口１０から外部に排出するよう構成される。後ケース３内の一端にはコード１１を介して交流電源（１００Ｖ）に接続される高電圧電源ボックス１２が配備されるとともに、後ケース３の側面には起動スイッチ１３や作動状態を表示するモニターランプ１４などが設けられる。
【００１０】
前記内部ケース５の前面には、左右一対の脚１５を介してノコギリ帯状のコロナ放電用電極１６が架設されて高電圧電源ボックス１２に配線接続され、マイナス６０００〜７０００ボルトの高電圧が印加される。また、内部ケース５の前面には、絶縁材料からなる電極支持プレート１７が配備され、この電極支持プレート１７の前面上下に平帯状に形成された対向電極１８が取り付けられる。この電極支持プレート１７は、左右の係止爪１７ａを介して内部ケース５に着脱自在に係合連結されており、高電圧電源ボックス１２に配線接続されて内部ケース５の前面に設けられた端子１９と、電極支持プレート１７の背面に設けた端子２０とが接触して、各対向電極１８にプラス６０００〜７０００ボルトの高電圧が印加されるようになっている。
【００１１】
前記コロナ放電用電極１６は、図５に示すように、その上下両側辺に多数の尖鋭突起１６ａを備えており、上記のような高電圧が印加されることで、各尖鋭突起１６ａの先端で局部的なコロナ放電が発生し、空気がイオン化されてマイナスイオンが高速で飛び出して行き、飛び出したマイナスイオンは空気中の分子との衝突や再結合を繰り返すことで空気流が生じる。そして、マイナスイオンは空気中の塵埃、花粉、雑菌などの微粒子に吸着され、マイナス電荷に帯電した微粒子は、高いプラス電圧が印加されている対向電極１８に向けて吸引されて行く。
【００１２】
また、電極支持プレート１７の前面には集塵シート２１が配備され、対向電極１８に向けて吸引移動してきた微粒子はこの集塵シート２１に捕捉される。集塵シート２１としては、単なるトイレットペーパー、ポリエチレンシート、アルミニウムシート、あるいは不織布などを用いるか、またはこれらを基材として活性炭等の吸着剤、あるいは粘着剤などを付したものを用いる。または殺菌力や抗菌力を有するモルタルペーストよりなるシートあるいは殺菌力、抗菌力を有する銅シートや繊維などからなる殺菌シートを用いる。
【００１３】
この集塵シート２１は、電極支持プレート１７の前面上下に左右方向に渡って設けたレール状のガイド１７ｂに沿って差し込み、この電極支持プレート１７の左右方向一端を下に向けることで集塵シート２１がガイド１７ｂに沿って自重落下して取り外せるようにする。従って、一定期間過ぎて集塵シート２１の表面に塵埃や花粉などの汚物が多量に付着すると、本体ケース１と後ケース３とを分離し、内部ケース５から電極支持プレート１７を外し、前述のようにこの電極支持プレート１７の左右方向一端を下に向けて廃棄用袋などの中に投入でき、人の手で集塵シート２１に触れることなくこれを廃棄できる。  
【００１４】
この実施例の空気清浄器Ａは、基本的には床置き状態で使用するが、病院で使用する場合に、図６に示すように、患者のベッドＢの下方において吊り下げて使用できるようにスタンド２を構成することもできる。また、図示しないが、スタンド２を壁面に取り付ける仕様に構成して壁掛け型に構成することもできる。壁掛け使用する場合、本体ケース１を横向きにして取り付けることで、吸気口４を真上方向から真下方向までの範囲で任意に変向させることができる。また、本体ケース１を縦向きにして壁掛け使用すると、吸気口４を左右に１８０度以上の範囲で任意に変向調節することができる。尤もスタンド２としては、図示例のように左右に別体に構成する以外に、両者を一体に構成することもできる。
【００１５】
前述のようにコロナ放電用電極１６から放出されるマイナスイオンの起こす空気流により、敢えてファン９を取り付けなければ無騒音で、しかも充分に周辺の空気を浄化することができるが、後ケース３の左右中央に設置したファン９を使用することで強制的に空気流を作ることができるため、一層効率よく空気浄化を行うことができる。
【００２２】
実施例において、前記コロナ放電用電極１６を図７に示すように構成すると、組み付けや集塵シート交換の際に尖鋭突起１６ａに手指が触れることがなくなり、安全に取り扱うことができる。つまり、図７（ａ）は、コロナ放電用電極１６を幅広に形成するとともに、その幅内に打ち抜き形成した孔１６ｂの内部に尖鋭突起１６ａを形成してある。また、図７（ｂ）は、コロナ放電用電極１６の側辺に沿って尖鋭突起１６ａを突設するとともに、これを囲むガード部分１６ｃを一体に打ち抜き形成してある。更に、図７（ｃ）は、コロナ放電用電極１６を直線的な蛇行状に形成するとともに、その凹入箇所に、電極側辺より突出しない高さで尖鋭突起１６ａを突設してある。
また、実施例は、コロナ放電用電極１６にマイナス電位を、対向電極１８にプラス電位を印加したが、それとは逆電位を加え、プラスイオンを放出するようにしても同様に集塵できる。なおコロナ放電用電極１６は、タングステン線のようなイオン化線としても良い。
【００２３】
【発明の効果】
本発明によれば、本体ケース１をその長手方向に沿った軸心Ｐ周りに任意に回動調節することができるので、使用対象や使用目的に応じた最適の方向から空気を本体ケース１内に導き入れることができ、効率のよい浄化処理を行うことが可能となった。
特に、塵埃等を捕捉する集塵シート２１を殺菌シートにすると、捕捉した雑菌をも死滅させることができ、病院などにおいて有効に使用することができる。
【図面の簡単な説明】
【図１】  第１実施例の空気清浄器の全体斜視図である。
【図２】  第１実施例の空気清浄器の縦断側面図である。
【図３】  第１実施例の空気清浄器の横断平面図である。
【図４】  第１実施例の空気清浄器の分解斜視図である。
【図５】  第１実施例の空気清浄器のコロナ放電用電極の一部を示す正面図である。
【図６】  第１実施例の空気清浄器の使用例を示す側面図である。
【図７】  コロナ放電用電極の他の実施例を示す正面図である。  
【符号の説明】
１  本体ケース
２  スタンド
１６  コロナ放電用電極
１８  対向電極
２１  集塵シート
Ｐ  軸心
【図１】
0003703120.tif 000002
【図２】
0003703120.tif 000003
【図３】
0003703120.tif 000004
【図４】
0003703120.tif 000005
【図５】
0003703120.tif 000006
【図６】
0003703120.tif 000007
【図７】
0003703120.tif 000008